【事件の表示】
　特願２００５−　　１４３３「パチンコ遊技機における遊技機枠の取付構造」拒絶査定不服審判事件〔平成１７年　５月２６日出願公開、特開２００５−１３１４２３〕について、次のとおり審決する。
【結　論】
　本件審判の請求は、成り立たない。
【理　由】
１．手続の経緯
　本願は、平成９年７月１６日に出願した特願平９−２０８５９３号の一部を平成１７年１月６日に新たな特許出願としたものであって、平成１８年８月３０日付で拒絶理由通知がなされ、平成１８年１０月２５日付で手続補正がなされ、平成１９年１月１１日付で拒絶査定がなされ、これに対し、平成１９年２月１３日に拒絶査定に対する審判請求がなされるとともに、平成１９年３月１２日付で手続補正がなされたものである。
　　　　　　　　　　　　　　　　　　　　　　　　　　　　　
２．平成１９年３月１２日付の手続補正についての補正却下の決定
［補正却下の決定の結論］
　　平成１９年３月１２日付の手続補正を却下する。
　　　　　　　　　　　　　　　　　　　　　　　　　　　　　
［理由］
（１）補正後の本願発明
　本件補正により、特許請求の範囲の請求項１は、
　　　　　　　　　　　　　　　　　　　　　　　　　　　　　
　「パチンコ遊技機における遊技機本体側部を構成する外枠（１１）と、該外枠（１１）の前面部に開閉可能に取付けられる内枠（１２）とが一側縁に設けられた上下一対の蝶着手段を介して取付けられたものであって、
　一方の蝶着手段（５２）は、内枠（１２）と外枠（１１）のいずれか一方に支軸（６６）を設けると共に、他方には該支軸（６６）を挿抜自在に軸着するための軸孔（６７）を備え、
　他方の蝶着手段（５１）は、内枠（１２）に設けられた支軸（５５）を備えると共に、外枠（１１）には前方に向けて突出する突出部（５６）と、該支軸（５５）を挟入可能な縁部に開口を有し該突出部（５６）に形成された支軸係入溝（５８）と、該支軸係入溝（５８）に挟入された前記支軸（５５）を着脱自在に係支するためのロック部材（５９）と、前記支軸（５５）の離脱方向と一致しない方向に前記ロック部材（５９）を付勢する付勢手段（６１）と、を備え、
　内枠（１２）には、前記突出部（５６）を受け入れるための受入溝（６２）が設けられると共に、前記支軸（５５）は前記受入溝（６２）前面側に臨んで位置しており、
　前記支軸係入溝（５８）は、盤面に対して平行又は垂直に、直線状に設けられ、終端部で前記支軸（６６）を係止するものであることを特徴とするパチンコ遊技機における遊技機枠の取付構造。」
　　　　　　　　　　　　　　　　　　　　　　　　　　　　　
と補正された。
　　　　　　　　　　　　　　　　　　　　　　　　　　　　　
　上記補正は、平成１７年１月６日付手続補正書の特許請求の範囲の請求項１に記載した発明を特定するために必要な事項である「支軸係入溝（５８）」を「前記支軸係入溝（５８）は、盤面に対して平行又は垂直に、直線状に設けられ、終端部で前記支軸（６６）を係止するものである」と限定するものであって、特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（平成１８年改正前特許法第１７条の２第５項において準用する同法第１２６条第５項の規定に適合するか）について以下に検討する。
　　　　　　　　　　　　　　　　　　　　　　　　　　　　　　
（２）引用例
　原査定の拒絶の理由に引用された特開平９−４７５５５号公報（以下、引用例という。）には、図面とともに、
　　　　　　　　　　　　　　　　　　　　　　　　　　　　　
・【特許請求の範囲】
【請求項１】  外枠の一側縁上下部と、前枠の一側縁上下部に各対応させて蝶着部を備え、上下それぞれ上下の支軸を介して軸着連結し、前枠を開閉自由に蝶着してなるパチンコ機の蝶着装置において、前枠下部の蝶着部は外枠下部の蝶着部の上に重ねて支持し、且つ前記下方の支軸を介して回動自由に軸着連結する一方、前枠上部の蝶着部は外枠上部の蝶着部の下方に臨ませると共に、該前枠の蝶着部上面に前記上方の支軸を立設し、また前記外枠上部の蝶着部には左右の方向に軸係入口を開設する軸受部を設けて前枠を開放した状態において上記軸係入口を通して前記上方の支軸を側方から水平移動させて係入軸承させ連結してなる・・・パチンコ機の蝶着装置。
【請求項２】  請求項１の記載において、外枠上部の蝶着部は前方に向けて水平に突き出す板片にしてその前縁部に沿って垂下片を垂設し軸受部とする一方、該垂下片の一側方を開放して軸係入口を設ける・・・パチンコ機の蝶着装置。
【請求項３】  請求項２の記載において、軸受部を形成する垂下片の内側には支軸の軸径に適合した軸承部を有する軸受補助部材を備えてなる・・・パチンコ機の蝶着装置。
【請求項４】  請求項１の記載において、外枠上部の蝶着部に備えられる軸受部には軸係入口に支軸の脱出を阻止するロック部材を備えてなる・・・パチンコ機の蝶着装置。
　　　　　　　　　　　　　　　　　　　　　　　　　　　　
・【０００１】
【発明の属する技術分野】・・・、パチンコ機の外枠と前枠の一側縁同志を開閉自由に、且つ着脱自由に軸着連結する蝶着装置に関する。
【０００２】
【従来の技術】・・・パチンコ機は・・・取付台に外枠を固定することによって設置され、遊技板を始めパチンコ機を構成する主要部品類を収める前枠をこの外枠に蝶着装置を介して開閉自由に蝶着連結しており、・・・交換の作業等を行うようにしている。その一方、必要ある場合には前枠を開放した状態のとき蝶着装置の支軸の軸着を外して外枠から前枠を取り外せるようにもなっている。・・・。
　　　　　　　　　　　　　　　　　　　　　　　　　　　　　
・【００１２】
【発明の実施の形態】・・・。図面において１は外枠を示し、２は前枠を示す。外枠１は木枠を矩形に組んで形成してあり、前枠２は額縁形に形成する本体部の前面に窓を囲むようにガラス枠３を・・・取付けると共に、このガラス枠３の下に同じく・・・上皿枠４を開閉自由に取付け、更にその下に下皿基板５を固定してこれら三者により前枠２の本体部前面を被うようにしてある。
【００１３】・・・、前枠２は背面に・・・機構枠体６を固定して前方からその内部に収める図示しない遊技板を前記ガラス枠３の開口部７に臨ませ、前面側からこの遊技板が覗けるようにしてあり、また機構枠体６の背面には貯留タンク８を始めとして賞球装置、セーフ球通路、賞球放出樋等の諸装置が組付けられる。
【００１４】図中９ａ，９ｂと１０ａ，１０ｂは外枠１と前枠２とを上下２点において蝶着し連結するそれぞれ対をなす蝶着部である。外枠側に固定される蝶着部９ａ，１０ａは左側部の上端コーナー部と下端コーナーに上下相対向するように取付けられ、前枠２側に固定される蝶着部９ｂ，１０ｂは左側部の上下両端にそれぞれ取付けられて、上部の蝶着部９ｂは蝶着部９ａに、また下部の蝶着部１０ｂは蝶着部１０ａに各対応するように取付けられる。
【００１５】・・・、図３、図４に示すように外枠１側の下部の蝶着部１０ａは金属板をＬ字形に屈曲させてその一方の取付片１１を外枠の左側枠１２に内側から沿わせてねじ止めし、他方の取付片１３を下枠１４の上面に乗せてコーナー部に固定し、取付片１３から前方に向けて水平に張り出す片部１３ａに支軸１５を立設している。
【００１６】この下部の蝶着部１０ａに対応する前枠２側の蝶着部１０ｂは金属板をＬ字形に屈曲させて形成し、一方の取付片１６を前枠本体部の左下コーナー部の背面に添わせてこれをねじ止めし、他方の片１７をこの前枠前面より前方に突き出しこれに前記蝶着部１０ａに設ける支軸１５を嵌合する軸受孔１８を設けている。
【００１７】・・・、外枠１の上端コーナー部に取付けられる上部蝶着部９ａはＬ字形に屈曲させた金属板の一方の取付片１９を上部枠２０の上面に添わせ、他方の取付片２１を左側枠１２の外側面に添わせてそれぞれをねじ止めして固定してあり、上記一方の取付片１９の前縁から前方に板片２２を突出し、その下面に軸受部２３を形成している。
【００１８】上端コーナー部に取付けられる蝶着部９ａは前方に突き出す板片２２を前記下部蝶着部１０ａに設ける片部１３ａと上下において相対向するようにしてあり、ここに設ける上記軸受部２３を支軸１５の直上に位置させる。図示する軸受部２３は板片２２の前縁を円弧状に形成し、この弧状前縁部から垂下する垂下片２４の囲みによって形成される。そして、ここでは垂下片２４の内側に合成樹脂製の軸受補助部材２５を嵌め付け、この補助部材に湾形に形成する凹部によって軸承部２６を設け、軸受部２３の軸承位置を確定させている。
【００１９】図中、２７は上記軸承部２６に嵌め込まれる支軸２８の抜け出しを阻止するロック部材である。このロック部材は板片２２から垂設される垂下片２４の高さと略等しい板厚に形成してあり、一端から長く突き出るようにレバー２９が延設してある。そして、このロック部材は前記板片２２の下面に植設する枢着軸３０を軸孔３１に挿通し、・・・回動自由に取付けられ、一端の閉塞壁部２７ａを前記軸受補助部材２５の軸承部２６に臨ませると共に、前記レバー２９を垂下片２４によって囲まれる軸受部２３の外に突き出すようにしてある。
【００２０】図中、３４はロック部材２７の閉塞壁部２７ａを常時軸承部２６に臨ませるための巻ばねである。・・・、ばね３４によって付勢されるロック部材は上面に形成する弧状の溝３６に板片２２から垂下するストッパーピン３７を滑合させて回動範囲を規制してあり、常態においては壁部２７ａが軸承部２６の開口部に臨む位置で止まるようにしてある。
【００２１】・・・、図６に示されるように軸受補助部材２５は垂下片２４の内側に収められると共に、２つの透孔３８，３８にピン３９を通し、これを板片２２にかしめて固定し、強固な軸受部２３を形成するようにしてある。そして、この補助部材に設けられる軸承部２６の開口部を後向きにして前記ロック部材２７に向い合せにしてあり、ロック部材の開放操作により閉塞壁部２７ａを除いたとき、この開口部をロック部材２７の側壁部２７ｂと垂下片２４の端部との間に形成される軸係入口４０を通して外に抜けるようにしてある。
【００２２】上記外枠側の蝶着部９ａに対応して前枠側に設けられる上部蝶着部９ｂは金属板をＬ字形に折り曲げ形成したもので、一片４１を前枠の背面に添わせねじ止めし、他片４２を前方に突き出させ、この他片の上面から前記支軸２８を立ち上げている。上記支軸２８と前記下部蝶着部１０ｂの軸受孔１８とは一つの垂線上に位置させてあり、軸受孔１８に下方の支軸１５が嵌合したとき、２つの支軸が一線上に揃うようにしてある。
【００２４】・・・外枠１に対する前枠２の組付けは・・・支軸１５を支点にして外枠の上部蝶着部９ａに対し前枠の上部蝶着部９ｂを接近させ、この蝶着部９ｂに立設する支軸２８を軸受部２３の軸係入口４０を通してその軸承部２６に侵入させることによって軸着連結される。
【００２５】図面における例では軸受部２３の軸係入口４０を右側面部に形成してあることから、支軸２８は軸受部２３に対して前方から臨ませ垂下片２４に沿って右側面に回り込ませたのちこの軸係入口４０に侵入させることになる。
【００２６】図７の図（Ａ）〜図（Ｃ）は軸受部２３に対する支軸２８の着脱関係を示したものである。ここに示す各図は軸受部２３を下から見ており、図（Ａ）は支軸２８が侵入する直前を、図（Ｂ）は開口部４０を通して侵入する途中を、そして図（Ｃ）は支軸２８が軸受補助部材２５によって形成される軸承部２６に侵入した状態を示している。
【００２７】垂下片２４の右方の端部に形成される軸係入口４０を通して侵入する支軸２８は軸受部２３の内に進むと、ロック部材２７の凹弧状をなす側壁部２７ｂに衝合することになり、そのまゝ無理に押込むと、図（Ｂ）に示すようにばね３４によって付勢されたロック部材２７が枢着軸３０を支点に回動し、軸承部２６を閉ざす閉塞壁部２７ａを移動させることになる。
【００２８】この状態のまゝ支軸２８を更に押込むと、図（Ｃ）の如く支軸２８は側壁部２７ｂを案内にして軸承部２６に自動的に侵入し、この侵入と同時にロック部材２７は押し付けから解放されるため巻ばね３４の復元力で原状に復帰し、その壁部２７ａで軸承部２６の開口を塞ぎ支軸２８の抜け出しを拘束することになる。
【００２９】この支軸２８の軸受部２３に対する組付け操作は・・・下部の蝶着部１０ａに支持させた前枠２をその下方の支軸１５を支点にして上部を水平移動させることによって行われる。実際には軸受部２３の位置を確認してこれに近付けると同時に、上部の支軸２８を軸受部の右側方に回り込ませて軸係入口４０から右方に突き出すロック部材２７のレバー２９に衝き当たるようにしたのち、レバー２９前面の側壁部２７ｂを案内に左方に移動させ、軸係入口４０を通して押し入れることによって行われる。
【００３０】この支軸２８の軸受部２３に対する連結操作は前枠２の全重量を蝶着部１０ａに支持させて行うものであり、また支軸１５を基点として上部の蝶着部９ａ，９ｂ相互の位置関係が一定となっていることから容易に、且つ正確、迅速に行うことができ、安全に作業できるものとなっている。
【００３１】この様にして軸着連結される蝶着部９ａ，９ｂはロック部材２７のレバー２９を手前に引くことで軸承部２６の開口部を開き、支軸２８を取り出すことによって解除される。・・・。
【００３２】・・・装置は図示する例に限定されることなく、その趣旨に従って種々実施することが可能である。・・・上下それぞれ対をなす蝶着部相互の蝶着連結によって外枠に対して前枠を開閉自由に蝶着することにおいて、上下いずれか一方の蝶着部相互を軸着連結し、この蝶着部によって前枠の重量を保持すること、そしてこの一方の蝶着部相互の軸着連結後にこの蝶着部を基点にして他方の蝶着部を連結すること、即ち他方の蝶着部のうち前枠側の蝶着部を水平移動させて外枠側の蝶着部に接近させそれぞれの支軸と軸受部とを結合させて軸着連結するところに特徴を有するもので、従って図示の例では先に下部蝶着部１０ａ，１０ｂ相互を連結する場合につき説明したが、それぞれの構造を入れ替えることによって上方の蝶着部を先に連結し、下方の蝶着部を後から連結するように変更しても実施は可能である。
との記載が認められる。
　　　　　　　　　　　　　　　　　　　　　　　　　　　　　
　また、上記摘記事項および図７より、ロック部材は板片２２の下面に植設する枢着軸３０を軸孔３１に挿通し、回動自由に取付けられ、一端の閉塞壁部２７ａを軸受補助部材２５の軸承部２６に臨ませると共に、レバー２９を垂下片２４によって囲まれる軸受部２３の外に突き出すようにしていること（段落【００１９】）、軸受補助部材２５は垂下片２４の内側に収められ、軸承部２６の開口部を後向きにしてロック部材２７に向い合せにしてあり、ロック部材の開放操作により閉塞壁部２７ａを除いたとき、この開口部をロック部材２７の側壁部２７ｂと垂下片２４の端部との間に形成される軸係入口４０を通して外に抜けるようにしてあること（段落【００２１】）、支軸２８を軸受部２３の軸係入口４０を通してその軸承部２６に侵入させることによって軸着連結されること（段落【００２４】）、支軸２８は軸受部２３に対して前方から臨ませ垂下片２４に沿って右側面に回り込ませたのち軸係入口４０に侵入させること（段落【００２５】）、垂下片２４の右方の端部に形成される軸係入口４０を通して侵入する支軸２８は軸受部２３の内に進むと、ロック部材２７の凹弧状をなす側壁部２７ｂに衝合することになり、そのまゝ無理に押込むと、図（Ｂ）に示すようにばね３４によって付勢されたロック部材２７が枢着軸３０を支点に回動し、軸承部２６を閉ざす閉塞壁部２７ａを移動させることになること（段落【００２７】）、支軸２８を更に押込むと、図（Ｃ）の如く支軸２８は側壁部２７ｂを案内にして軸承部２６に自動的に侵入すること（段落【００２８】）、支軸２８の軸受部２３に対する組付け操作は・・・軸受部２３の位置を確認してこれに近付けると同時に、上部の支軸２８を軸受部の右側方に回り込ませて軸係入口４０から右方に突き出すロック部材２７のレバー２９に衝き当たるようにしたのち、レバー２９前面の側壁部２７ｂを案内に左方に移動させ、軸係入口４０を通して押し入れること（段落【００２９】）等から、上部蝶着部９ａは、「支軸２８を侵入させる軸係入口４０を有し金属板にロック部材２７の側壁部２７ｂと軸受補助部材２５の内壁とで形成された支軸誘導路を備え、該支軸誘導路は、盤面に対して略平行に、凹弧状に設けられ、終端部で前記支軸２８を係止するもの」と解される。
　　　　　　　　　　　　　　　　　　　　　　　　　　　　　
　以上を踏まえれば、引用例には、
　　　　　　　　　　　　　　　　　　　　　　　　　　　　　
　「パチンコ機における本体部側部を木枠を矩形に組んで形成する外枠１と、該外枠１の前面部に開閉自由に取付けられる前枠２とが一側縁に設けられた上下２点においてそれぞれ対をなす蝶着部９ａ，９ｂと１０ａ，１０ｂを介して取付けられたものであって、
　下部蝶着部１０ａ，１０ｂは、前枠２に支軸１５を立設すると共に、外枠１には該支軸１５を嵌合するための軸受孔１８を備え、
　上部蝶着部９ａ，９ｂは、前枠２に設けられた支軸２８を備えると共に、外枠１には前方に向けて突出する板片２２と、該支軸２８を侵入させる軸係入口４０を有し金属板にロック部材２７の側壁部２７ｂと軸受補助部材２５の内壁とで形成された支軸誘導路と、該支軸誘導路に侵入された前記支軸２８を着脱自由に軸着連結するためのロック部材２７と、前記支軸２８の取り出し方向と一致しない方向に前記ロック部材２７を押し付ける巻ばね３４と、を備え、
　前記支軸誘導路は、盤面に対して略平行に、凹弧状に設けられ、終端部で前記支軸２８を係止するものであるパチンコ機における遊技板を始め主要部品類を収める前枠の蝶着装置。」
　　　　　　　　　　　　　　　　　　　　　　　　　　　　　　　　　　
との発明（以下「引用例発明」という。）が開示されていると認めることができる。
　　　　　　　　　　　　　　　　　　　　　　　　　　　　　
（３）対比
　そこで、本願補正発明と引用例発明とを比較すると、引用例発明の「パチンコ機」は本願補正発明の「パチンコ遊技機」に相当し、以下同様に、「本体部側部を木枠を矩形に組んで形成する」は「遊技機本体側部を構成する」に、「外枠１」は「外枠（１１）」に、「開閉自由」は「開閉可能」に、「前枠２」は「内枠（１２）」に、「上下２点においてそれぞれ対をなす」は「上下一対の」に、「蝶着部９ａ，９ｂと１０ａ，１０ｂ」は「蝶着手段」に、「下部蝶着部１０ａ，１０ｂ」は「一方の蝶着手段（５２）」に、「前枠２」は「内枠（１２）と外枠（１１）のいずれか一方」に、「支軸１５」は「支軸（６６）」に、「立設する」は「設ける」に、「外枠１」は「他方」に、「嵌合する」は「挿抜自在に軸着する」に、「軸受孔１８」は「軸孔（６７）」に、「上部蝶着部９ａ，９ｂ」は「他方の蝶着手段（５１）」に、「支軸２８」は「支軸（５５）」に、「板片２２」は「突出部（５６）」に、「侵入された」は「挟入された」に、「着脱自由」は「着脱自在」に、「軸着連結する」は「係支する」に、「ロック部材２７」は「ロック部材（５９）」に、「取り出し方向」は「離脱方向」に、「押し付ける」は「付勢する」に、「巻ばね３４」は「付勢手段（６１）」に、「遊技板を始め主要部品類を収める前枠」は「遊技機枠」に、「蝶着装置」は「取付構造」にそれぞれ相当している。
　　　　　　　　　　　　　　　　　　　　　　　　　　　　　　　　　
　また、引用例発明の「支軸２８を侵入させる軸係入口４０を有し金属板にロック部材２７の側壁部２７ｂと軸受補助部材２５の内壁とで形成された支軸誘導路」と本願補正発明の「支軸（５５）を挟入可能な縁部に開口を有し突出部（５６）に形成された支軸係入溝（５８）」は「支軸を挿入可能な開口部を有しヒンジ張り出し部に形成された支軸案内路」で共通し、以下同様に、「略平行」と「平行」は「特定方向」で、「凹弧状」と「直線状」は「特定線状」でそれぞれ共通する。
　　　　　　　　　　　　　　　　　　　　　　　　　　　　　
　したがって、両者は、
　　　　　　　　　　　　　　　　　　　　　　　　　　　　　
「パチンコ遊技機における遊技機本体側部を構成する外枠と、該外枠の前面部に開閉可能に取付けられる内枠とが一側縁に設けられた上下一対の蝶着手段を介して取付けられたものであって、
　一方の蝶着手段は、内枠と外枠のいずれか一方に支軸を設けると共に、他方には該支軸を挿抜自在に軸着するための軸孔を備え、
　他方の蝶着手段は、内枠に設けられた支軸を備えると共に、外枠には前方に向けて突出する突出部と、該支軸を挿入可能な開口部を有しヒンジ張り出し部に形成された支軸案内路と、該支軸案内路に挟入された前記支軸を着脱自在に係支するためのロック部材と、前記支軸の離脱方向と一致しない方向に前記ロック部材を付勢する付勢手段と、を備え、
　前記支軸案内路は、盤面に対して特定方向に、特定線状に設けられ、終端部で前記支軸を係止するものであるパチンコ遊技機における遊技機枠の取付構造。」
　　　　　　　　　　　　　　　　　　　　　　　　　　　　　
の点で一致し、以下の点で相違している。
　　　　　　　　　　　　　　　　　　　　　　　　　　　　　
　＜相違点１＞
　支軸案内路の構成およびその特定方向の特定線状において、本願補正発明では、支軸係入溝（５８）が、「支軸（５５）を挟入可能な縁部に開口を有し突出部（５６）に形成されたものであり、盤面に対して平行又は垂直に、直線状に設けられ」ているものであるのに対して、引用例発明では、支軸誘導路が、「支軸２８を侵入させる軸係入口４０を有し金属板にロック部材２７の側壁部２７ｂと軸受補助部材２５の内壁とで形成されたものであり、盤面に対して略平行に、凹弧状に設けられ」ているもの点。
　　　　　　　　　　　　　　　　　　　　　　　　　　　　　　　　　
　＜相違点２＞
　内枠（１２）の構造において、本願補正発明では、「内枠（１２）には、突出部（５６）を受け入れるための受入溝（６２）が設けられると共に、支軸（５５）は前記受入溝（６２）前面側に臨んで位置している」のに対して、引用例発明ではその構成となっていない点。
　　　　　　　　　　　　　　　　　　　　　　　　　　　　　　　　
（４）判断
　上記相違点について検討する。
　　　　　　　　　　　　　　　　　　　　　　　　　　　　　　　　
＜相違点１について＞
　遊技機分野において、ピボットを嵌め入れることができる前面側に開口を有しピボットヒンジの扉取付枠側に形成された切り込み状のピボット受け部を盤面に対して向きを傾斜させ、直線状に設けることが周知｛例えば、特開平８−２８４５１７号公報（段落【０００３】、【０００７】等、図５等）、特開平８−２１００１４号公報（段落【００１１】、【００２５】、【００３１】等、図６等）参照。｝であり（以下、「周知例Ａ」という。）、また、当該分野では、ピボット受け部の盤面に対する向きを傾斜させたり、平行にしたり、垂直にしたりすることは適宜設計事項の範囲内であるから、前記引用例発明の「支軸２８を侵入させる軸係入口４０を有し金属板にロック部材２７の側壁部２７ｂと軸受補助部材２５の内壁とで形成された支軸誘導路を、盤面に対して略平行に、凹弧状に設けられる」構成にすることに代えて、前記周知例Ａを適用して本願補正発明の相違点１に係る「支軸（５５）を挟入可能な縁部に開口を有し突出部（５６）に形成されたものであり、盤面に対して平行又は垂直に、直線状に設けられる」構成とした点に格別の創意工夫を要したとはいえず、当業者が容易に想到し得るものといえる。
　　　　　　　　　　　　　　　　　　　　　　　　　　　　　　　　　
＜相違点２について＞
　遊技機分野において、枠体に、回動前枠体のヒンジ用金具の回転や取付部材の後方への突出を許容するため、枠体の一部を切り欠いて、空間部を形成することが周知｛例えば、実願昭５８−１９９３８６号（実開昭６０−１０９６８５号）のマイクロフィルム（第８頁第１５〜１８行等、第７図等）、実願昭５８−１９９３８５号（実開昭６０−１０９６８４号）のマイクロフィルム（第１６頁第１３〜１４行等、第８図等）、参照。｝である（以下、「周知例Ｂ」という。）から、前記引用例発明の前枠２に、前記周知例Ｂを適用して本願補正発明の相違点２に係る「内枠（１２）には、突出部（５６）を受け入れるための受入溝（６２）が設けられると共に、支軸（５５）は前記受入溝（６２）前面側に臨んで位置している」構成とした点に格別の創意工夫を要したとはいえず、当業者が適宜なし得る程度の設計的事項であるといえる。
　　　　　　　　　　　　　　　　　　　　　　　　　　　　　
  そして、本願補正発明が奏する効果は、引用例発明および周知例Ａ・Ｂから当業者が予測し得るものであって格別のものとは認められない。
　したがって、本願補正発明は、引用例発明および周知例Ａ・Ｂに基づいて、当業者が容易に発明をすることができたものであるから、特許法第２９条第２項の規定により特許出願の際独立して特許を受けることができないものである。
　　　　　　　　　　　　　　　　　　　　　　　　　　　　　
（５）むすび
　以上のとおり、本件補正は、平成１８年改正前特許法第１７条の２第５項で準用する同法第１２６条第５項の規定に違反するので、特許法第１５９条第１項の規定において読み替えて準用する同法第５３条第１項の規定により却下すべきものである。
　　　　　　　　　　　　　　　　　　　　　　　　　　　　　
３．本願発明について
　平成１９年３月１２日付の手続補正は上記のとおり却下されたので、本願の請求項１に係る発明（以下、同項記載の発明を「本願発明」という。）は、平成１８年１０月２５日付手続補正書の特許請求の範囲の請求項１に記載された事項により特定される、以下のとおりのものである。
　　　　　　　　　　　　　　　　　　　　　　　　　　　　　
　「パチンコ遊技機における遊技機本体側部を構成する外枠（１１）と、該外枠（１１）の前面部に開閉可能に取付けられる内枠（１２）とが一側縁に設けられた上下一対の蝶着手段を介して取付けられたものであって、
　一方の蝶着手段（５２）は、内枠（１２）と外枠（１１）のいずれか一方に支軸（６６）を設けると共に、他方には該支軸（６６）を挿抜自在に軸着するための軸孔（６７）を備え、
　他方の蝶着手段（５１）は、内枠（１２）に設けられた支軸（５５）を備えると共に、外枠（１１）には前方に向けて突出する突出部（５６）と、該支軸（５５）を挟入可能な縁部に開口を有し該突出部（５６）に形成された支軸係入溝（５８）と、該支軸係入溝（５８）に挟入された前記支軸（５５）を着脱自在に係支するためのロック部材（５９）と、前記支軸（５５）の離脱方向と一致しない方向に前記ロック部材（５９）を付勢する付勢手段（６１）と、を備え、
　内枠（１２）には、前記突出部（５６）を受け入れるための受入溝（６２）が設けられると共に、前記支軸（５５）は前記受入溝（６２）前面側に臨んで位置していることを特徴とするパチンコ遊技機における遊技機枠の取付構造。」
　　　　　　　　　　　　　　　　　　　　　　　　　　　　
（１）引用例
　原査定の拒絶の理由に引用された引用例、および、その記載事項は、前記「２．（２）」に記載したとおりである。
　　　　　　　　　　　　　　　　　　　　　　　　　　　　　　
（２）対比・判断
　本願発明の構成要件を全て含み、さらに他の構成要件を付加したものに相当する本願補正発明が、前記「２．（４）」に記載したとおり、引用例発明および周知例Ａ・Ｂに基づいて、当業者が容易に発明をすることができたものであるから、本願発明も、同様の理由により、引用例発明および周知例Ａ・Ｂに基づいて、当業者が容易に発明をすることができたものである。
　　　　　　　　　　　　　　　　　　　　　　　　　　　　　　　　　
（３）むすび
　以上のとおり、本願発明は、引用例発明および周知例Ａ・Ｂに基づいて、当業者が容易に発明をすることができたものであるから、特許法第２９条第２項の規定により特許を受けることができない。
　よって、結論のとおり審決する。